(57)【要約】【課題】光源の設置位置に自由度を持たせ、運搬が容易に行え、さらには、多用途とした照明システムを提供する。【解決手段】照明装置３０に一端が接続される電力供給ケーブル１７と、電力供給ケーブル１７の他端に電気的接続されていて電力供給ケーブル１７への送電用ケーブル２に対して電気的接続が可能であって物理的着脱可能な照明装置部品１と、を備える照明装置用ユニット１と、電力供給ケーブル１７に接続される照明装置３０と、照明装置３０に対する送電を行う送電用ケーブル２とを有する。【選択図】  図１
2008277059.tif 000002
【特許請求の範囲】
【請求項１】
照明装置に一端が接続される電力供給ケーブルと、
前記電力供給ケーブルの他端に電気的接続されていて当該電力供給ケーブルへの送電用ケーブルに対して電気的接続が可能であって物理的着脱可能な照明装置部品と、を備える照明装置用ユニット。
【請求項２】
前記照明装置部品は、
相互に回動する筐体と、
前記筐体の一方の内側に接続されていて前記電力供給ケーブル内の一対の電線に接続される一対の給電刃とを備える、請求項１記載の照明装置用ユニット。
【請求項３】
前記照明装置部品は、
前記各筐体によって閉状態としたときに、前記送電用ケーブルを挟み込むことで物理的に装着され、かつ、前記一対の給電刃が、前記送電用ケーブル内の一対の電線に接触する、請求項２記載の照明装置用ユニット。
【請求項４】
請求項１から３のいずれか記載の照明装置用ユニットと、
前記電力供給ケーブルに接続される照明装置と、
前記照明装置に対する送電を行う送電用ケーブルとを備える、照明システム。
【発明の詳細な説明】
【技術分野】
【０００１】
本発明は、照明装置用ユニット及びこれを備える照明システムに関し、特に、路上に設置する照明装置に接続される照明装置用ユニット及びこれを備える照明システムに関する。
【背景技術】
【０００２】
特許文献１には、内面が凹凸面の透明筒体の一端部に鏡を設けた光線拡散放出体を、側面が透明板、反対側内面が反射面である拡散体の中に挿入し、光線拡散放出体の中に光を照射する光源を着脱自在に取り付けて形成するライトアップ光源を、防音壁等の道路構造物に取り付ける、道路構造物のライトアップ構造について開示されている。
【０００３】
この道路構造物のライトアップ構造は、光源から放射された光が透明板の前面から直角をなす方向に効率よく照射するので、エネルギー効率がよく、道路構造物が美しくライトアップされ、夜間の道路景観の向上に役立つとされている。
【０００４】
【特許文献１】特開平０７−２６２８１１号公報
【発明の開示】
【発明が解決しようとする課題】
【０００５】
しかし、従来の技術は、筐体を有しているため光源の設置位置の自由度がないし、光源の運搬が困難である。また、従来の技術は、例えば路上に光源を設置させて道案内に用いるという用途には不向きである。
【０００６】
そこで、本発明は、光源の設置位置に自由度を持たせ、運搬が容易に行え、さらには、多用途とした照明システムを提供することを課題とする。
【課題を解決するための手段】
【０００７】
上記課題を解決するために、本発明の照明装置用ユニット及び照明システムは、
照明装置に一端が接続される電力供給ケーブルと、
前記電力供給ケーブルの他端に電気的接続されていて当該電力供給ケーブルへの送電用ケーブルに対して電気的接続が可能であって物理的着脱可能な照明装置部品とを備える。
【０００８】
すなわち、本発明は、照明装置部品が、送電用ケーブルに対して物理的着脱可能であるため、光源の設置位置を自由に確保することが可能となる。
【０００９】
なお、前記照明装置部品は、
相互に回動する筐体と、
前記筐体の一方の内側に接続されていて前記電力供給ケーブル内の一対の電線に接続される一対の給電刃とを備えるとよい。
【００１０】
こうすると、照明装置部品を、送電用ケーブルに対して容易に物理的着脱可能とすることができる。
【００１１】
また、前記照明装置部品は、
前記各筐体によって閉状態としたときに、前記送電用ケーブルを挟み込むことで物理的に装着され、かつ、前記一対の給電刃が、前記送電用ケーブル内の一対の電線に接触するとよい。
【００１２】
こうすると、送電用ケーブルと照明装置部品との、物理的装着及び電気的接続とを一つの工程で実現可能になる。
【発明の実施の形態】
【００１３】
以下、本発明の実施形態について図面を参照して説明する。なお、各図において、同様の部分には同一符号を付している。また、説明の都合上、図示している各部材の大きさは、一部を誇張して描いている点に留意されたい。
（実施形態１）
図１は、本発明の実施形態１の照明システムの模式図である。図１に示す照明システムは、行灯タイプの照明装置３０と、照明装置３０に電力供給をする電力供給ケーブル１７と、ケーブル１７に対して電気的に接続される送電用ケーブル２と、電力供給ケーブル１７と送電用ケーブル２とを接続する照明装置部品１とに大別される。
【００１４】
行灯タイプの照明装置３０は、例えば略円筒状の筐体３１と、その内部に設置されるＬＥＤ、ハロゲン、ＨＩＤ、蛍光灯などの光源３２とを含む。筐体３１には、電力供給ケーブル１７に設けられているプラグを受けるジャックが設けられている。
【００１５】
電力供給ケーブル１７は、本実施形態では、５０ｃｍ〜２ｍ程度の長さの同軸ケーブルとすることができる。電力供給ケーブル１７の一端にはプラグ１９（図５）が設けられていて、他端には照明装置部品１が取り付けられている。
【００１６】
送電用ケーブル２は、商用電源などに接続される。送電用ケーブル２は、幅２〜３ｃｍ×高さ５ｍｍ程度の略平板状の支持部材２３と、支持部材２３の上面に形成された凹部内に埋設された状態で接着された塩化ビニールなどからなる被覆線２１と、被覆線２１内に通されていて互いに絶縁されている電線２２ａ，２２ｂとを備える。送電用ケーブル２は、４００ｇ程度／ｍの重さとなるようにすると、自重により設置面から離れにくくなる。
【００１７】
支持部材２３は、短手方向に平行な断面が長方形状であってもよいが、特に、断面が略台形状、上側角部のカット領域を増やして垂直側面をなくした台形状や、カット角を鋭角にした三角形状、アーチ形状のようにして、送電用ケーブル２に足等が更に引っかかりにくくなるので好ましい。
【００１８】
また、支持部材２３は、１ｍ程度の長さとし、さらに、支持部材２３の端部相互を、数ｃｍ程度のワイヤなどを通じて接続するとよい。こうすると、送電用ケーブル２の這わせ方の自由度が増すためである。この場合には、支持部材２３間で、捻ることで被覆線２１を反転させている。こうすると、支持部材２３間で被覆線２１を曲げた場合にも、被覆線２１の捻れにより、被覆線２１の内周と外周との距離が相対的に短いことに起因して、支持部材２３の端部が浮き上がらなくなる。
【００１９】
照明装置部品１は、送電用ケーブル２に対して着脱可能な構成とされている。このため、照明システムの管理者等が、照明装置３０の設置希望位置に応じて送電用ケーブル２を這わせて、送電用ケーブル２の所望の位置に照明装置部品１を取り付ければいい。
【００２０】
図２は、図１に示す照明装置部品１を開状態とした平面図である。図２に示すように、照明装置部品１は、長辺部分が図面手前方向に折り曲げられた第１筐体１１を備える。第１筐体１１の長辺部分間の長さは、送電用ケーブル２との幅よりも若干長くしていて、送電用ケーブル２を受けられるようにしてある。
【００２１】
第１筐体１１には、ヒンジ部１３を介して第２筐体１２が取り付けられている。第１筐体１１の長辺部分のうちヒンジ部１３と連結されていない長辺部分の外側には例えば凹部が形成されている。一方、第２筐体１２には、照明装置部品１を閉状態としたときに凹部と対向する位置に凸部が形成されている。凹部及び凸部が形成されているため、照明装置部品１を送電用ケーブル２の自由な位置に着脱可能となる。
【００２２】
第２筐体１２には、その平面方向に対して直交する方向に延びる４本の柱部１４が取り付けられている。各柱部１４の端部には、これらが四隅近傍に位置するように、平板１５が取り付けられている。柱部１４の高さは、送電用ケーブル２の高さに対応させている。具体的には、照明装置部品１を閉状態として、平板１５と第１筐体１１とで送電用ケーブル２を挟み込んだときに、平板１５と第１筐体１１との間隔が、送電用ケーブル２の高さと略同一となるようにしている。
【００２３】
平板１５には、電力供給ケーブル１７の電線１８ａ，１８ｂと各々電気的に接続される給電刃１６ａ，１６ｂが取り付けられている。給電刃１６ａ，１６ｂは、略三角形状とされており、平板１５の長手方向に沿って配置されている。給電刃１６ａ，１６ｂの先端部は、平板１５の平面方向に対して立位する態様とされている。
【００２４】
給電刃１６ａ，１６ｂの対向面間の距離は、電線２２ａ，２２ｂの中心間距離と略同一としている。給電刃１６ａ，１６ｂの丈は、照明装置部品１を閉状態としたときに、給電刃１６ａ，１６ｂの先端が電線２２ａ，２２ｂと十分に接触する長さとしている。また、柱部１４によって形成される、平板１５と第２筐体１２との間の空間部分には、電力供給ケーブル１７の電線１８ａ，１８ｂの先端が通され、給電刃１６ａ，１６ｂと電気的に接続される。
【００２５】
図３，図４は、図１に示す送電用ケーブル２に対する照明装置部品１の取付手順を示す図である。まず、図３に示すように、照明装置部品１を開状態として、送電用ケーブル２の所望の位置で、送電用ケーブル２を第１筐体１１上に載置する。
【００２６】
或いは、送電用ケーブル２の電線２２ａ，２２ｂに対して、第２筐体１２の給電刃１６ａ，１６ｂを先に取り付けるようにしてもよい。こうすると、第１筐体１１と第２筐体１２とを回動させたときに、給電刃１６ａ，１６ｂが被覆線２１に接触してから電線２２ａ，２２ｂに到達するまでに、給電刃１６ａ，１６ｂに斜め方向に応力が係ることを防止することができるというメリットがある。
【００２７】
つぎに、第１筐体１１と第２筐体１２とを相互に回動させ、第１筐体１１の凹部に対して、第２筐体１２の凸部をはめ込む。この結果、給電刃１６ａ，１６ｂが被覆線２１に刺し込まれ、電線２２ａ，２２ｂに到達する。また、送電用ケーブル２が、平板１５と第１筐体１１とによって挟み込まれて位置決めされる。こうして、送電用ケーブル２に対して、照明装置部品１の取付が完了する。
【００２８】
なお、送電用ケーブル２から照明装置部品１を取り外す場合には、第１筐体１１と第２筐体１２とを、取付時とは逆方向に回動させる向きに応力をかけ、第１筐体１１の凹部と第２筐体１２の凸部との接続を解除すればよい。
【００２９】
図５は、図１の送電用ケーブル２に対する照明装置部品１の取付完了後の斜視図である。既述の手順によって、送電用ケーブル２に対して照明装置部品１を取り付けた後には、電力供給ケーブル１７の先端に設けられているプラグ１９を、照明装置３０のジャックに挿入すればよい。この際、送電用ケーブル２に対して電力が供給されていれば、電力供給ケーブル１７を通じて分岐された電力によって、照明装置３０の光源３２が点灯する。
【００３０】
（実施形態２）
図６は、本発明の実施形態２に係る照明装置部品１及び送電用ケーブル２の模式図である。図６に示すように、本実施形態に係る照明装置部品１は、平板１５の両端に、支持部材２３を受ける受け部１５’を設けている。具体的には、受け部１５’は、支持部材２３の長手方向に沿う側に設けている。
【００３１】
送電用ケーブル２に対して照明装置部品１を取り付ける際には、平板１５上の受け部１５’間に送電用ケーブル２に位置合わせする。つぎに、送電用ケーブル２の電線２２ａ，２２ｂに対して、第２筐体１２の給電刃１６ａ，１６ｂが到達するように、送電用ケーブル２を平板１５に対して押し当てる。
【００３２】
こうすると、第１筐体１１と第２筐体１２とを回動させたときに、第１筐体１１が蓋として機能するため、給電刃１６ａ，１６ｂに斜め方向に応力が係ることを防止することができる。
【００３３】
また、送電用ケーブル２は、使用時に底面となる面に、被覆線２１が埋設される凹部が形成されている。この凹部は、図３等に示したものに比して深くしている。このため、送電用ケーブル２を路面上に這わせたり、送電用ケーブル２を巻き取ったりするときに、被覆線２１が路面と擦れて損傷することを防止できる。
【００３４】
なお、図６には、長手方向の断面形状が長方形状である送電用ケーブル２を示しているが、図３等に示したように、その断面が略台形状の送電用ケーブル２を用いてもよい。
【００３５】
（実施形態３）
図７は、本発明の実施形態３に係る照明装置部品１及び送電用ケーブル２の模式図である。本実施形態に係る照明装置部品１は、一つの筐体１１を有している。筐体１１は、使用時に支持部材２３の長手方向に対する直交断面が、略Ｕ字状になる。筐体１１の開口部には、送電用ケーブル２から外れることを防止するストッパ２０が形成されている。もっとも、ストッパ２０は、図７に示すタイプに限定されるものではない点に留意されたい。さらに、筐体１１の開口部の対向面には、給電刃１６ａ，１６ｂを取り付けている。
【００３６】
また、送電用ケーブル２は、使用時に側面となる面に、被覆線２１が埋設される凹部が形成されている。なお、この側面に対して反対側面には、上部の角を面取りする等の加工を施してもよい。
【００３７】
このような照明装置部品１及び送電用ケーブル２は、送電用ケーブル２の側面から照明装置部品１をスライドさせることによって、送電用ケーブル２に照明装置部品１を取り付けることができる。係る場合にも、実施形態２の場合と同様に、給電刃１６ａ，１６ｂに対して斜めに応力がかかることを防止できるし、被覆線２１が損傷することも防止できる。
【産業上の利用可能性】
【００３８】
本発明は、照明業に利用することが可能である。
【図面の簡単な説明】
【００３９】
【図１】本発明の実施形態１の照明システムの模式図である。
【図２】図１に示す照明装置部品１を開状態とした平面図である。
【図３】図１に示す送電用ケーブル２に対する照明装置部品１の取付手順を示す図である。
【図４】図１に示す送電用ケーブル２に対する照明装置部品１の取付手順を示す図である。
【図５】図１の送電用ケーブル２に対する照明装置部品１の取付完了後の斜視図である。
【図６】本発明の実施形態２に係る照明装置部品１及び送電用ケーブル２の模式図である。
【図７】本発明の実施形態３に係る照明装置部品１及び送電用ケーブル２の模式図である。
【符号の説明】
【００４０】
１  照明装置部品
２  送電用ケーブル
１１  第１筐体
１２  第２筐体
１３  ヒンジ部
１４  柱部
１５  平板
１６  給電刃
１７  電力供給ケーブル
１８  電線
１９  プラグ
２１  被覆線
２２  電線
２３  支持部材
３０  照明装置
３１  筐体
３２  光源
【図１】
2008277059.tif 000003
【図２】
2008277059.tif 000004
【図３】
2008277059.tif 000005
【図４】
2008277059.tif 000006
【図５】
2008277059.tif 000007
【図６】
2008277059.tif 000008
【図７】
2008277059.tif 000009